(57)【要約】【課題】第１に、確実に形状保持，重量保持，強度維持，浮揚され、第２に、出入口密封構造が不要で、空気圧の人体負担もなく、第３に、取扱いが簡単容易であり、第４に、弛み，水溜まり，積雪等も回避され、第５に、使用中止となる破損も発生しにくい、シート製の屋根体を提案する。【解決手段】この屋根体１は、内部空間３を介した上シート４と下シート５との２重構造よりなり、収納スペース２を下側に形成して覆う。そして、上シート４と下シート５間の内部空間３に気体Ａが圧入充填され、その気体Ａの圧力により、上シート４と下シート５が、それぞれ拡開，膨張，展開される。上シート４および下シート５は、可撓性膜体よりなる。圧入充填される気体Ａとしては、空気Ｃが代表的であるが、暖気空気Ｃや水素，ヘリウム等を圧入充填すると、浮力が生じ、重量が軽減されると共に浮揚に寄与する。【選択図】図１
2017066801.tif 000002
【特許請求の範囲】
【請求項１】
人や物の収納スペースを下側に形成して覆うシート製の屋根体であって、内部空間を介した上シートと下シートとの２重構造よりなり、
該上シートと下シート間に気体が圧入充填されて形成された該内部空間内の気体圧力により、該上シートと下シートがそれぞれ拡開，膨張，展開され、もって該屋根体全体が、肉厚ルーフ状に形状保持されて浮揚されること、を特徴とするシート製の屋根体。
【請求項２】
請求項１において、該上シートおよび下シートは、合成樹脂製や合成樹脂をコーティングした布地製とされ、もって柔軟で気密な可撓性膜体よりなること、を特徴とするシート製の屋根体。
【請求項３】
請求項２において、圧入充填される該気体は、外気より高温の暖気空気よりなり、密度が外気より小さくて軽い該暖気空気により浮力が生じ、上記浮揚に寄与していること、を特徴とするシート製の屋根体。
【請求項４】
請求項２において、圧入充填される該気体は、水素，ヘリウム，その他の空気より軽い気体よりなり、もって浮力が生じ上記浮揚に寄与していること、を特徴とするシート製の屋根体。
【請求項５】
請求項２において、該上シートと下シート間には、多数の補強ロープが介装連結されており、もって全体の形状保持，強度維持に寄与していること、を特徴とするシート製の屋根体。
【請求項６】
請求項２において、該内部空間に面した該上シート下面および下シート上面には、それぞれ多数の補強リブが付設されており、もって全体の形状保持，強度維持に寄与していること、を特徴とするシート製の屋根体。
【請求項７】
請求項２において、該上シートと下シート間には多数の区画リブが配設され、該内部空間を縦に区画しており、もって全体の形状保持，強度維持に寄与していること、を特徴とするシート製の屋根体。
【請求項８】
請求項２において、該上シートは、略平坦な膜状をなしており、該下シートは、該上シートとの間で区画された複数の該内部空間を平行に形成すべく、該上シート下に平行ライン状に止着されており、もって全体の形状保持，強度維持に寄与していること、を特徴とするシート製の屋根体。
【請求項９】
請求項２において、該上シートは、略平坦な膜状をなしており、該下シートは、複数の直線筒体状をなし、それぞれ該上シート下に平行に止着され、もって全体の形状保持，強度維持に寄与しており、
該内部空間は、該上シートとシート下との間ではなく、該下シート筒体内に各々形成されていること、を特徴とするシート製の屋根体。
【請求項１０】
請求項２において、該シート製の屋根体は、仮設テント用として使用されること、を特徴とするシート製の屋根体。
【発明の詳細な説明】
【技術分野】
【０００１】
本発明は、シート製の屋根体に関する。すなわち、人や物の収納スペースを形成して覆う、シート製の屋根体に関するものである。
【背景技術】
【０００２】
《技術的背景》
屋根体、つまり人や物を収納する収納スペースを下側に形成して覆う屋根体として、シート製の屋根体が使用されつつある。
すなわちシート製の屋根体は、下側に形成される収納スペース内部に柱が全くないか又は極めて少ない場合等において、比較的軽量であるという特徴を生かし、使用されつつある。
例えば、シート製の屋根体は、エアドーム球場，各種競技場，天幕テント，サーカステント，催し物テント，イベントテント等の大空間用，大規模用から、農地ハウステント，プールテント、そしてキャンプテント等の小空間用，小規模用迄、各種の規模や態様で建築用その他に使用されつつある。
【０００３】
《従来技術》
そして、このようなシート製の屋根体は、従来、次のような各種手段により拡開，展開され、全体的にルーフ状に形状保持されていた。
エアドーム球場の場合は、収納スペース内部の空気圧手段によって、形状保持されていた。すなわち、加圧空気を収納スペース内に圧入して、外気より内圧を高くし、もってシート製の屋根体を、拡開，展開してルーフ状に支え、もって形状保持，重量保持，強度維持していた。
サーカステント，催し物テント，イベントテント，農地ハウステント，プールテント等の仮設テントの場合は、鉄骨，金属骨組み，金物枠組み等の手段が、シート製の屋根体の形状保持，重量保持，強度維持に用いられていた。拡開，展開してルーフ状に支えるべく、用いられていた。
キャンプテントの場合も、支柱を立ててロープを張ることにより、シート状の屋根体をルーフ状に拡開，展開して、形状保持，重量保持，強度維持していた。
【先行技術文献】
【特許文献】
【０００４】
このような従来技術としては、例えば、次の特許文献１，２中に示されたものが、挙げられる。
【特許文献１】特開２０００−６４６２３号公報
【特許文献２】特開２００１−３１１３２５号公報
【発明の概要】
【発明が解決しようとする課題】
【０００５】
ところで、このような従来のシート製の屋根体については、次の課題が問題として指摘されていた。
《第１の問題点》
第１に、シート製の屋根体により、収納スペースを形成することは容易でない、特に大規模な収納スペースを形成することは容易でない、という問題が指摘されていた。
すなわちシート製の屋根体で、エリア内に柱が極めて少ないか又は全くない収納スペースを覆う場合（つまり、外周を除く収納スペース内部に柱が殆どないか柱が全くない場合）、特に大空間の収納スペースを覆う場合、その形状保持，重量保持，強度維持に問題が生じていた。その基礎構造も大掛かりとなる、という指摘もあった。
もって、例えば陸上競技場等について、シート製の屋根体を採用することは、困難視されていた。大規模スペースを要する施設について、シート製の屋根体を採用して、天候に左右されない大空間の収納スペースを作ることは、困難視されていた。
【０００６】
《第２の問題点》
第２に、これに対しエアドーム球場や引用文献１，２のように、収納スペース内部の空気圧によって、シート製の屋根体の形状保持，重量保持，強度維持を図る従来技術も、存在していた。
しかしながら、収納スペース内の内圧、特に大空間の収納スペースの内圧を、外気より高く維持することを要するので、収納スペース出入口の密封管理構造（内圧つまり空気圧等を保つ構造）や、空気圧負担の人体影響（内圧の気圧によっては、体調に異変を生じることがある）等に、問題が指摘されていた。
【０００７】
《第３の問題点》
第３に、従来のシート製の屋根体を採用した各種仮設テント等については、シートを張るために使用する鉄骨，金属骨組み，金物枠組み，支柱，ロープ等を、取付，組立，設置する作業が面倒であり、時間も要し、持ち運び運搬も不便である等々、取扱いに問題が指摘されていた。
例えば、サーカステント，催し物テント，イベントテント，農地ハウステント，キャンプテント等、シート製の屋根体を使用した仮設テント等については、取扱い性に難点があった。
【０００８】
《第４の問題点》
第４に、上述した各種仮設テント等については、屋根体として用いられたシートに、弛みが生じ易い、という問題も指摘されていた。
もって降雨に際し、屋根体のシートに水溜まりが生じたり、降雪時に雪溜まり積雪が生じ易かった。
【０００９】
《第５の問題点》
第５に、更に上述した各種仮設テント等については、屋根体として用いられた１枚のシートに、破れ，穴，その他の破損が生じた場合、復旧までに使用が制限される、という問題が指摘されていた。
破れ，穴，その他の破損発生により、屋根体としての形状，機能に大きな悪影響，欠陥が生じ、使用困難となることが多々あった。修理まで、使用中止を招くことも多かった。
【００１０】
《本発明について》
本発明のシート製の屋根体は、このような実情に鑑み、上記従来技術の課題を解決すべくなされたものである。
そして本発明は、第１に、確実に形状保持，重量保持，強度維持，浮揚され、第２に、出入口密封構造が不要で、空気圧の人体負担もなく、第３に、取扱いが簡単容易であり、第４に、弛み，水溜まり，積雪等も回避され、第５に、使用中止を招く破損も発生しにくい、シート製の屋根体を提案することを目的とする。
【課題を解決するための手段】
【００１１】
《各請求項について》
このような課題を解決する本発明の技術的手段は、特許請求の範囲に記載したように、次のとおりである。
請求項１については、次のとおり。
請求項１のシート製の屋根体は、人や物の収納スペースを下側に形成して覆う。そして内部空間を介した、上シートと下シートとの２重構造よりなる。
そして、該上シートと下シート間に気体が圧入充填されて形成された該内部空間内の気体圧力により、該上シートと下シートが、それぞれ拡開，膨張，展開される。もって該屋根体全体が、肉厚ルーフ状に形状保持されて浮揚されること、を特徴とする。
【００１２】
請求項２については、次のとおり。
請求項２のシート製の屋根体では、請求項１において、該上シートおよび下シートは、合成樹脂製や合成樹脂をコーティングした布地製とされ、もって柔軟で気密な可撓性膜体よりなること、を特徴とする。
請求項３については、次のとおり。
請求項３のシート製の屋根体では、請求項２において、圧入充填される該気体は、外気より高温の暖気空気よりなり、密度が外気より小さくて軽い該暖気空気により浮力が生じ、上記浮揚に寄与していること、を特徴とする。
請求項４については、次のとおり。
請求項４のシート製の屋根体では、請求項２において、圧入充填される該気体は、水素，ヘリウム，その他の空気より軽い気体よりなり、もって浮力が生じ、上記浮揚に寄与していること、を特徴とする。
【００１３】
請求項５については、次のとおり。
請求項５のシート製の屋根体では、請求項２において、該上シートと下シート間には、多数の補強ロープが介装連結されており、もって全体の形状保持，強度維持に寄与していること、を特徴とする。
請求項６については、次のとおり。
請求項６のシート製の屋根体では、請求項２において、該内部空間に面した該上シート下面および下シート上面には、それぞれ多数の補強リブが付設されており、もって全体の形状保持，強度維持に寄与していること、を特徴とする。
請求項７については、次のとおり。
請求項７のシート製の屋根体では、請求項２において、該上シートと下シート間には多数の区画リブが配設され、該内部空間を縦に区画しており、もって全体の形状保持，強度維持に寄与していること、を特徴とする。
【００１４】
請求項８については、次のとおり。
請求項８のシート製の屋根体では、請求項２において、該上シートは、略平坦な膜状をなしている。該下シートは、該上シートとの間で区画された複数の該内部空間を平行に形成すべく、該上シート下に平行ライン状に止着されており、もって全体の形状保持に寄与していること、を特徴とする。
請求項９については、次のとおり。
請求項９のシート製の屋根体では、請求項２において、該上シートは、略平坦な膜状をなしている。該下シートは、複数の直線筒体状をなし、それぞれ該上シート下に平行に止着され、もって全体の形状保持，強度維持に寄与している。
該内部空間は、該上シートと下シートとの間ではなく、該下シート筒体内に各々形成されていること、を特徴とする。
請求項１０については、次のとおり。
請求項１０のシート製の屋根体では、請求項２において、該シート製の屋根体は、仮設テント用として使用されること、を特徴とする。
【００１５】
《作用等について》
本発明は、このような手段よりなるので、次のようになる。
（１）本発明のシート製の屋根体は、内部空間を介した上シートと下シートとの２重構造よりなり、収納スペースを下側に形成して覆う。
（２）そして、内部空間に気体が圧入充填され、その圧力により、可撓性膜体よりなる上シートと下シートが拡開，膨張，展開，浮揚される。
（３）圧入充填される気体としては、空気が代表的である。なお暖気空気や、水素，ヘリウム等の空気より軽い気体を圧入充填すると、浮力が生じ、もって屋根体の重量が軽減され浮揚に寄与する。
（４）又、上シートと下シートについて、補強ロープを介装連結したり、補強リブを付設したり、区画リブを配設すると、屋根体全体の形状保持，重量保持，強度維持が、促進される。
（５）更に、平坦な上シートに対し、下シートを平行ライン状に止着して、複数の内部空間を形成したり、直線筒体状をなす下シートを複数止着することによっても、屋根体全体の形状保持，重量保持，強度維持が、促進される。
（６）もって、本発明のシート製の屋根体は、大空間用，大規模用から、小空間用，小規模用迄、各種の規模や態様で使用可能である。
（７）例えば、各種競技場，天幕テント，サーカステント，催し物テント，イベントテントから、農地ハウステント，プールテント、更にはキャンプテント迄、常設用や仮設用として広く使用可能である。
（８）そこで、本発明に係るシート製の屋根体は、次の効果を発揮する。
【発明の効果】
【００１６】
《第１の効果》
第１に、確実に形状保持，重量保持，強度維持，浮揚される。
本発明のシート製の屋根体では、上シートと下シートが、圧入充填された気体圧力により拡開，膨張，展開され、もって確実に形状保持，重量保持，強度維持，浮揚される。勿論、重量軽減・軽量化により基礎構造も簡略化される。
柱が極めて少ないか又は全くない収納スペースを覆う場合、そして天候に左右されない大空間・大規模の収納スペースを形成する場合でも、例えば陸上競技場等の施設においても、前述したこの種従来技術のような問題を生じることなく、採用可能となる。
特に、暖気空気や空気より軽い気体を、上シートと下シート間の内部空間に圧入充填すると、その浮力により、軽量化が図れると共に浮揚が一段と確実化する。
又、上シートと下シートについて、補強ロープ，補強リブ，区画リブ等を設けると、形状保持，重量保持，強度維持等が、一段と確実化する。
更に、下シートにて平行区画された多数の内部空間を形成したり、下シートを多数の直線筒体状とすることによっても、形状保持，重量保持，強度維持が特に確実化する。
【００１７】
《第２の効果》
第２に、出入口の密封構造が不要で、空気圧の人体負担もない。
本発明のシート製の屋根体は、上シートと下シート間の内部空間に、空気等の気体を圧入充填する。前述したこの種従来技術のエアドーム球場のように、収納スペースの方に空気を圧入充填して、その空気圧力にて、シート製の屋根体の形状保持，重量保持，強度維持を図る訳ではない。
もって、収納スペースの出入口の密封管理構造や、空気圧負担による人体への悪影響等の問題は生じない。
【００１８】
《第３の効果》
第３に、取扱いが簡単容易である。
本発明のシート製の屋根体は、前述したこの種従来技術の仮設テント等のように、鉄骨，金属骨組み，金物枠組み，支柱，ロープ等を使用せず、取付，組立，設置される。
もって、持ち運び運搬も安全かつコンパクトに行える。又、内部空間に空気等の気体を圧入充填することにより、自然に拡開，膨張，展開し、短時間で取付，組立，設置され、形状保持，重量保持，強度維持，浮揚される。
そこで、サーカステント，催し物テント，イベントテント，テントハウス，プールテント等としては勿論のこと、キャンプテントや臨時に組立てられる運動会，お祭り等の仮設テントとしても、手軽に簡単な作業で使用可能である。
【００１９】
《第４の効果》
第４に、弛み，水溜まり，積雪等も、回避される。
本発明のシート製の屋根体は、内部空間内の気体圧力により、拡開，膨張，展開され、肉厚ルーフ状に膨らみをもって形状保持される。
もって、前述したこの種従来技術の仮設テントのように、シート製の屋根体に弛みが生じることは回避される。弛み発生回避により、降雨時の水溜まりや降雪時の雪溜まり積雪が、屋根体上に発生することも防止される。特に、暖気空気を内部空間に充填した場合は、その温度により、屋根体上の積雪発生が確実に防止される。
【００２０】
《第５の効果》
第５に、使用中止を招く破損も、発生しにくくなる。
本発明のシート製の屋根体は、上シートと下シートの２重構造よりなり、一重１枚のシートが用いられていた前述したこの種従来技術のように、破損が生じた場合、復旧までに使用が制限されることは少なくなる。
例えば、上シートに破れ，穴，その他の破損が生じても、下シートにより、屋根体としての形状，機能に致命的欠陥が生じることは防止される。つまり即使用中止とはならず、当面は屋根としてそのまま使用継続した後、修理することも可能となる。
このように、この種従来技術に存した課題がすべて解決される等、本発明の発揮する効果は、顕著にして大なるものがある。
【図面の簡単な説明】
【００２１】
【図１】本発明に係るシート製の屋根体について、発明を実施するための形態の説明に供し、（１）図は、第１例全体の正断面説明図、（２）図は、同第１例全体の平面説明図である。
【図２】同発明を実施するための形態の説明に供し、（１）図は、第２例要部の正断面説明図である。（２）図は、同第２例（その１）要部の平面説明図、（３）図は、同第２例（その２）要部の平面説明図、（４）図は、同第２例（その３）要部の平面説明図である。  （５）図は、第３例要部の正断面説明図、（６）図は、同第３例要部の平面説明図である。
【図３】同発明を実施するための形態の説明に供し、（１）図は、第４例要部の正断面説明図、（２）図は、同第４例要部の平面説明図である。  （３）図は、第５例（その１）要部の正断面説明図、（４）図は、同第５例（その２）要部の正断面説明図、（５）図は、同第５例（その３）要部の正断面説明図、（６）図は、同第５例要部の平面説明図である。
【図４】同発明を実施するための形態の説明に供し、（１）図は、第６例（その１）要部の正断面説明図、（２）図は、同第６例（その２）要部の正断面説明図である。  （３）図は、第７例（その１）要部の正断面説明図、（４）図は、同第７例（その２）要部の正断面説明図である。（５）図は、第８例全体の正断面説明図である。
【図５】同発明を実施するための形態の説明に供し、（１）図は、第９例（その１）全体の正断面説明図、（２）図は、同第９例（その２）全体の正断面説明図、（３）図は、同第９例（その３）全体の正断面説明図である。  （４）図および（５）図は、該第９例と対比されるこの種従来例を示し、（４）図は、全体の正断面説明図、（５）図は、全体の平面説明図である。
【発明を実施するための形態】
【００２２】
以下、本発明を実施するための形態について、図面を参照して詳細に説明する。
《本発明の概要》
まず、本発明の概要について、図１を参照して説明する。
本発明のシート製の天井屋根体１は、人や物の収納スペース２を下側に形成して覆う。そして内部空間３を介した、上シート４と下シート５との２重構造よりなる。
そして、上シート４と下シート５間に加圧気体Ａが圧入充填されて形成された内部空間３内の気体Ａの圧力により、上シート４と下シート５が、それぞれ拡開，膨張，展開される。もって屋根体１全体が、肉厚ルーフ状に形状保持されて浮揚されるようになる。
本発明の概要については、以上のとおり。以下、このような本発明について、更に詳述する。
【００２３】
《上シート４，下シート５，気体Ａ等について》
まず、上シート４，下シート５，圧入充填する気体Ａ等について、図１を参照して説明する。
屋根体１を構成する上シート４および下シート５は、合成樹脂製や、合成樹脂をコーティングした布地製とされ、もって柔軟で気密な可撓性膜体よりなる。
すなわち上シート４や下シート５は、例えば、塩化ビニール樹脂シート、ナイロン樹脂織物シートや、フッ素樹脂，ウレタン樹脂，アクリル樹脂等をコーティングしたガラス繊維やコットン繊維よりなる。
そして、両者間に圧入充填されて封じ込められた内部空間３の気体Ａの圧力により、それぞれ拡開，膨張，展開される。もって屋根体１全体として、肉厚ルーフ形状をなす。
【００２４】
上シート４と下シート５間に圧入充填され、もって両者間に内部空間３を層状に形成する気体Ａとしては、空気Ｃが代表的である。
特に、圧入充填される気体Ａとして、外気Ｂより高温の暖気空気Ｃを用いると、密度が外気Ｂより小さくて軽い暖気空気Ｃにより浮力が生じ、軽量化が図れると共に、屋根体１としての浮揚に寄与するようになる。
すなわち、内部空間３に圧入充填された空気Ｃが、上シート４が太陽光を浴びることにより、暖気空気Ｃとなって熱膨張し、もって密度の小さい軽い暖気空気Ｃにより、屋根体１全体を支えて浮上させる浮力が生じ、軽量化も図れるようになる。
場合によっては、暖気装置にて空気Ｃを加熱し、暖気空気Ｃとして内部空間３に圧入充填して、屋根体１全体を支えて浮上させる浮力を得、軽量化も図れるようにしてもよい。
他方、内部空間３に圧入充填される気体Ａを、水素，ヘリウム，その他の空気Ｃより密度の小さい軽い気体とし、もって屋根体１全体を支える浮力により、屋根体１としての浮揚に寄与せしめるようにしてもよい。
このように生成される浮力にて、屋根体１がより確実に浮揚されるようになる。もって、シート製の屋根体１下に形成される収納スペース２について、支柱が極めて少ないか支柱が全くない場合であっても、屋根体１としての形状保持，重量保持，強度維持が全うされるようになる。
上シート４，下シート５，気体Ａ等については、以上のとおり。
【００２５】
《第１例，第２例，第３例について》
以下、本発明の各例について説明する。まず図１，図２を参照して、第１例，第２例，第３例について説明する。
まず、図１の（１）図，（２）図は第１例を示し、シート製の屋根体１が、競技場用として用いられている。そして、地上に立設された基礎構造の外周壁体６上に、屋根体１の外周端が接合，取付けされている。
図中７は、空気Ｃ等の気体Ａの流入口，８は排出口であり、各々調整弁９が設けられており、両調整弁９により、内部空間３に圧入充填される気体Ａの内圧が設定される。流入口７には、ブロワーやコンプレッサー等が接続され、加圧気体Ａが内部空間３へと供給される。
【００２６】
次に、図２の（１）図は第２例を示し、（２）図は第２例（その１）を、（３）図は第２例（その２）を、（４）図は第２例（その３）を示す。
この第２例のシート製の屋根体１では、内部空間３に面した上シート４下面および下シート５上面に、それぞれ多数の補強リブ１０が付設されており、もって全体の形状保持，重量保持，強度維持に寄与している。
すなわち補強リブ１０は、上シート４や下シート５と同材質又は異なる材質よりなり、上シート４下面から垂下され、下シート５上面から立設されており、それぞれ上シート４，下シート５を補強し、もって屋根体１全体を形状保持，重量保持，強度維持せしめている。
そして、図２の（２）図の第２例（その１）では、縦方向に所定間隔で平行ライン状に設けられた各補強リブ１０間に、横方向の補強リブ１０が、所定間隔で多数直交配設されている。
図２の（３）図の第２例（その２）では、縦横方向に補強リブ１０が、等間隔でクロスして直交配設されている。図２の（４）図の第２例（その３）では、縦方向のみに、所定間隔で平行ライン状に補強リブ１０が配設されている。
【００２７】
次に、図２の（５）図，（６）図は、第３例を示す。この第３例のシート製の屋根体１では、上シート４と下シート５間に、多数の補強ロープ１１が介装連結されており、もって屋根体１全体の形状保持，重量保持，強度維持に寄与している。
すなわち、上シート４と下シート５とは、縦横に一定間隔を置いて配設された多数の補強ロープ１１にて繋げられ、補強ロープ１１にて張力が支えられている。もって屋根体１全体について、形状保持，重量保持，強度維持せしめている。
第１例，第２例，第３例については、以上のとおり。
【００２８】
《第４例，第５例について》
次に、図３を参照して、第４例，第５例について説明する。
まず、図３の（１）図，（２）図は、第４例を示す。この第４例のシート製の屋根体１では、前述した第２例の補強リブ１０と第３例の補強ロープ１１たが、共に使用され併用されている。
すなわち、図２の（２）図に示した縦横の補強リブ１０の交叉点に、補強ロープ１１が配設されており、もって屋根体１全体の形状保持，重量保持，強度維持が、一段と強化されている。
【００２９】
次に、図３の（３）図は第５例（その１）、（４）図は第５例（その２）を、（５）図は第５例（その３）を示し、（６）図は第５例を共通に示す。
この第５例のシート製の屋根体１では、上シート４と下シート５間に、多数の区画リブ１２が配設され、両者間の内部空間３を縦に区画しており、もって全体の形状保持，重量保持，強度維持に寄与している。
すなわち区画リブ１２は、上シート４や下シート５と同様質又は異なる材質よりなり、上シート４と下シート５間の内部空間３に充填された気体Ａを、縦横に多数の平行ライン枠状に仕切っている。もって、屋根体１の形状を正確に決めることができ、屋根体１全体について形状保持，重量保持せしめ、強力に強度維持せしめている。
なお、図３の（３）図の第５例（その１）の各区画リブ１２は、各内部空間３間を完全に遮断すべく仕切っている。
図３の（４）図の第５例（その２）では、仕切られた各内部空間３の気体Ａ間を連通せしめる連通孔１３が、各区画リブ１２に設けられている。図３の（５）図の第５例（その３）では、上述した第５例（その２）の連通孔１３に、それぞれ逆止弁その他の調整弁１４が配設されている。
第４例，第５例については、以上のとおり。
【００３０】
《第６例，第７例，第８例について》
次に、図４を参照して、第６例，第７例，第８例について説明する。
まず、図４の（１）図は第６例（その１）を、図４の（２）図は第６例（その２）を示す。
この第６例のシート製の屋根体１では、上シート４は、平坦な膜状をなしている。これに対し下シート５は、上シート４との間で区画された複数の内部空間３を平行に形成すべく、上シート４下に平行ライン状に止着されており、もって全体の形状保持，重量保持，強度維持に寄与している。
図示例の下シート５は、断面が半円１５状をなしており、それぞれ内部に同形状の内部空間３を形成するに足る横幅寸法よりなる。
そして、下シート５と上シート４間に、縦方向に平行に多数形成された各内部空間３の空気Ｃ等の気体Ａ層が、全体のリブ的に機能し、もって屋根体１全体について、形状保持，重量保持，強度維持せしめている。
なお、図４の（１）図の第６例（その１）では、縦方向に形成される各半円１５そして内部空間３が、横方向に一定間隔を置いて複数配されている。これに対し、図４の（２）図の第６例（その２）では、形成される半円１５そして各内部空間３が密に並び、間隔を置くことなく多数配されている。
【００３１】
次に、図４の（３）図は第７例（その１）を、図４の（４）図は第７例（その２）を示す。
この第７例のシート製の屋根体１では、上シート４は、平坦な膜状をなしている。これに対し下シート５は、複数の直線筒体１６状をなすと共に、それぞれ上シート４下に平行に止着され、もって全体の形状保持，重量保持，強度維持に寄与している。
すなわち図示例の下シート５は、断面円状をなす筒体１６よりなり、それぞれ、内部に同形状の内部空間３を形成するに足る寸法よりなる。
なおこの第７例の内部空間３は、前述した各例のように上シート４との間ではなく、下シート５の筒体１６内に各々形成されている。
すなわち、下シート５にて縦方向に多数形成された筒体１６、そしてその内部空間３に充填された空気Ｃ等の気体Ａ層が、全体のリブ的に機能する。もって、屋根体１全体について、形状保持，重量保持，強度維持せしめている。なお筒体１６は、１本ずつ交換することも可能である。
又、図４の（３）図の第７例（その１）では、縦方向に形成される各筒体１６そして内部空間３が、横方向に一定間隔を置いて複数配されている。これに対し、図４の（４）図の第７例（その２）では、形成される各筒体１６そして内部空間３が密に並び、間隔を置くことなく多数配されている。
【００３２】
次に、図４の（５）図は第８例を示す。この第８例のシート製の屋根体１では、周囲に柱１７が立設されると共に、対向する柱１７間に吊ロープ１８が架け渡されている。
そして、このようにして張り巡らされた吊ロープ１８下に、屋根体１が止着，吊り下げられ、もって全体的に形状保持，重量保持，強度維持されている。
第６例，第７例，第８例については、以上のとおり。
【００３３】
《第９例について》
次に、図５を参照して、第９例について説明する。
この第９例のシート製の屋根体１は、キャンプテントＤ等の小規模な仮設テントとして、使用された例を示す。
そして図５の（１）図は、頂部で内部空間３が区画された第９例（その１）を示す。図５の（２）図は、内部空間３が区画されず一体的であると共に、その肉厚が頂部ほど大、下部ほど小となった第９例（その２）を示す。図５の（３）図は、内部空間３が区画されず一体的であると共に、その肉厚が均一となっている第９例（その３）を示す。
なお、図５の（４）図，（５）図は、このような本発明の第９例と対比・比較される、この種従来例のキャンプテントＥを示す。
図示したように従来例では、弛みＦが発生し易く、そこに水溜りＧ等が発生するという難点があった。これに対し、本発明の第９例では、屋根体１全体が内部空間３内の気体Ａ圧力により、膨らみをもって形状保持されるので、このような難点は解消される。
第９例については、以上のとおり。
【００３４】
《作用等》
本発明に係るシート製の屋根体１は、以上説明したように構成されている。そこで以下のようになる。
（１）本発明に係るシート製の屋根体１は、内部空間３を介した上シート４と下シート５との２重構造よりなり、収納スペース２を下側に形成して覆う（図１の（１）図，図５の（１）図〜（３）図を参照）。
【００３５】
（２）そして、上シート４と下シート５間の内部空間３に気体Ａが圧入充填され、その
気体Ａの圧力により、上シート４と下シート５が、それぞれ拡開，膨張，展開，浮揚される。上シート４および下シート５は、可撓性膜体よりなる。
【００３６】
（３）圧入充填される気体Ａとしては、空気Ｃが代表的である。なお、暖気空気Ｃや水素，ヘリウム等の空気Ｃより軽い気体を圧入充填すると、浮力が生じ、もって屋根体１の重量が軽減され、浮揚が助長される。
【００３７】
（４）又、上シート４と下シート５について、補強ロープ１１を介装連結したり、（図２の（５）図，（６）図の第３例、図３の（１）図，（２）図の第４例を参照）、補強リブ１０を付設したり（図２の（１）図〜（４）図の第２例、図３の（１）図，（２）図の第４例を参照）、区画リブ１２を配設すると（図３の（３）図〜（６）図の第５例を参照）、屋根体１としての形状保持，重量保持，強度維持が、促進される。
【００３８】
（５）更に、平坦な上シート４に対し、下シート５を平行ライン状に止着して、複数の内部空間３を形成したり（図４の（１）図，（２）図の第６例を参照）、平坦な上シート４に対し、直線筒体１６状をなす下シート５を複数止着することによっても（図４の（３）図，（４）図の第７例を参照）、屋根体１全体の形状保持，重量保持，強度維持が促進される。
【００３９】
（６）もって、本発明のシート製の屋根体１は、大空間用，大規模用から、小空間用，小規模用迄、各種の規模や態様で使用可能である。
【００４０】
（７）例えば、各種競技場，天幕テント，サーカステント，催し物テント，イベントテント等から（図１を参照）、農地ハウステント，プールテント、更にはキャンプテント等迄（図５の（１）図〜（３）図を参照）、常設用や仮設用として広く使用可能である。
作用等については、以上のとおり。
【符号の説明】
【００４１】
１  屋根体
２  収納スペース
３  内部空間
３´内部空間
４  上シート
５  下シート
６  壁体
７  流入口
８  排出口
９  調整弁
１０  補強リブ
１１  補強ロープ
１２  区画リブ
１３  連通孔
１４  調整弁
１５  半円
１６  筒体
１７  柱
１８  吊ロープ
Ａ  気体
Ｂ  外気
Ｃ  空気（暖気空気）
Ｄ  キャンプテント（本発明）
Ｅ  キャンプテント（従来例）
Ｆ  弛み
Ｇ  水溜り
【図１】
2017066801.tif 000003
【図２】
2017066801.tif 000004
【図３】
2017066801.tif 000005
【図４】
2017066801.tif 000006
【図５】
2017066801.tif 000007